(57)【要約】      （修正有）【課題】柔軟性に富み、形状が不安定であり、かつ、底や襠を有しないパウチ包装物を所望の位置に確実に素早くセットすることができ、陳列のバリエーションや自由度にも富む面陳列用のディスプレイスタンドを提供する。【解決手段】液状物が扁平パウチに充填されたパウチ包装物２０を面陳列するために用いられるディスプレイスタンド１であり、背板部２と前板部４の間に、パウチ包装物を差し込むための隙間が形成されたポケット構造を備え、前板部は背板部に向かって凸となる屈曲形状に形成され、前板部の下端から屈曲部に至るまでの部分は、下端から屈曲部に向かうに連れて背板部に近づくように後傾し、前板部の屈曲部から上端に至るまでの部分は、屈曲部から上端に向かうに連れて背板部から離れるように前傾している。【選択図】図１Ｄ0003205557.tif 000003
0003205557.tif 000002
【実用新案登録請求の範囲】
【請求項１】
液状物が扁平パウチに充填されたパウチ包装物を面陳列するために用いられるディスプレイスタンドであって、
背板部と、前記背板部の下端から延びる折り返し部分によって形成され、前記背板部の正面のうち少なくとも下端側領域を覆う前板部と、を有し、
前記背板部と前記前板部の間に、前記パウチ包装物を差し込むための隙間が形成されたポケット構造を備え、
前記背板部は後傾姿勢に保持され、
前記前板部は前記背板部に向かって凸となる屈曲形状または湾曲形状に形成され、
前記前板部の下端から屈曲部または湾曲部に至るまでの部分は、前記下端から前記屈曲部または前記湾曲部に向かうに連れて前記背板部に近づくように後傾し、
前記前板部の屈曲部または湾曲部から上端に至るまでの部分は、前記屈曲部または前記湾曲部から上端に向かうに連れて前記背板部から離れるように前傾していることを特徴とするディスプレイスタンド。
【請求項２】
前記ポケット構造を高さ方向に２段備えている請求項１に記載のディスプレイスタンド。
【請求項３】
前記ポケット構造が、連続する一枚板によって構成されている請求項１または２に記載のディスプレイスタンド。
【請求項４】
前記ディスプレイスタンド全体が、連続する一枚板によって構成されている請求項１から３のいずれか一項に記載のディスプレイスタンド。
【考案の詳細な説明】
【技術分野】
【０００１】
本考案は、液状香粧品などの液状物が扁平パウチに充填されたパウチ包装物を面陳列するために用いられるディスプレイスタンドに関するものである。
【背景技術】
【０００２】
近年、ホテルなどの宿泊施設においては、シャンプーや整髪料などの液状香粧品が小分け包装されたパウチ包装物が提供されている。このパウチ包装物は１回の使用量に相当する量の液状香粧品が扁平パウチに充填された使い切りタイプの包装物である。したがって、ホテルのような不特定多数が利用する施設においても、液状香粧品を清潔に使用することができるという利点がある。
【０００３】
ところで、前記のようなパウチ包装物は清潔性を保つという実用的な側面だけではなく、施設のイメージアップグッズとしての側面も有している。例えば、一般家庭用とは異なるデザイン性の高いパウチを採用することで、特別感や高級感を醸し出すことができ、施設のイメージアップを図ることができる。実際、高級ホテルにおいては、そのホテル固有の優美なデザインを施したパウチ包装物が提供されている。このようなパウチ包装物は持ち帰り可能なアメニティグッズとして女性に人気がある。
【０００４】
前記のように、パウチ包装物は施設のイメージアップグッズとしての側面を有している。したがって、パウチ包装物を提供する施設としては、パウダールームのような狭いスペースでもパウチ包装物をコンパクトに、かつ、高いデザイン性を損なうことなく、陳列（ディスプレイ）したいという要望がある。
【０００５】
商品のデザイン性を損なうことなく、商品を陳列する方法としては、面陳列（「面陳」とも言う）という手法が知られている。面陳列とは、商品を背面側に位置する壁に立てかけ、商品の正面が見えるように商品を陳列する手法を指す。このような手法であれば、商品のデザインの中心的な役割を果たす商品の正面が隠れないため、商品のデザイン性を損なうことなく、商品を陳列することができる。
【０００６】
商品を面陳列するための面陳列器具としては、書籍、ＣＤ等の平板状の商品を面陳列するための面陳列器具が提案されている（特許文献１）。この面陳列器具は、底板部と、前記底板部の後端から立ち上がる斜面部と、前記底板部の前縁に形成されるストッパー部と、前記斜面部の両側端に形成した支脚部とを具えている。
【０００７】
別の面陳列器具としては、店頭で携帯電話機を面陳列するための店頭陳列用スタンドが提案されている（特許文献２）。この店頭陳列用スタンドは、鉛直面に対して後傾姿勢に傾斜する前板と、前板を後傾姿勢に支持する後板と、前板の下端から前方に向けて上り勾配を有して折曲形成された底受板と、底受板の前端縁から上向きに折曲形成されたフロントストッパを備えている。
【０００８】
また、パウチやチューブ、袋などの柔軟な包装物を陳列するための陳列器具としては、押出しチューブなどの展示用商品を展示・陳列するためのディスプレイトレイが提案されている（特許文献３から５）。このディスプレイトレイは、展示用商品を嵌入保持する筒状凹部を長手方向および巾方向に間隔をあけて複数個対向して並列配備した天板と、該天板の周囲を囲繞する側面板とを合成樹脂で一体成形したものである。
【０００９】
別の陳列器具としては、ヨーグルト等の流動性液体を柔軟性の包装袋に収容した軟包装物を陳列する際に該軟包装物を自立させる自立具が提案されている（特許文献６）。この自立具は、下端に安定のための基底面を有し、上端に軟包装物を載置して支持するとともに該軟包装物の下端面を押圧する長尺状の畝部を有し、該畝部が、上に載置された軟包装物の下端面を押圧させて安定化させて自立させるものである。
【００１０】
更に別の陳列器具としては、方形の小型平袋を取り付けるための展示用ボードが提案されている（特許文献７）。この展示用ボードは、下側には方形の小型平袋の隣り合う二つの隅角を差し込み固定するための一組のスリットがそれぞれ設けられ、上側には方形の小型平袋のもう一方の二つの隅角を両端に有する辺の略中央部分を挟持固定するための挟持片が区画形成されているものである。
【先行技術文献】
【特許文献】
【００１１】
【特許文献１】実登第３１６９１２８号
【特許文献２】特開２００１−９２３６１号公報
【特許文献３】特開平８−２１７０４８号公報
【特許文献４】特開平８−２１７０４９号公報
【特許文献５】特開平８−２１７０５０号公報
【特許文献６】特開２００７−２９２０３号公報
【特許文献７】特開２００７−１１７１６２号公報
【考案の概要】
【考案が解決しようとする課題】
【００１２】
しかし、特許文献１から７に記載の技術はいずれも、液状香粧品が扁平パウチに充填されたパウチ包装物を陳列する用途には適していないものであった。
【００１３】
例えば、特許文献１に記載の面陳列器具や特許文献２に記載の店頭陳列用スタンドは、書籍やＣＤ、携帯電話機のような、硬質で安定的な形状を有する（自重で変形しない）商品を陳列対象とし、商品の正面側に位置する部材（ストッパー部、フロントストッパ）をストッパーとして、商品の背面側に位置する部材（斜面部、前板）に商品を安定的に立てかけるという思想に基づくものである。
【００１４】
しかし、液状香粧品が扁平パウチに充填されたパウチ包装物は柔軟性に富み、形状が不安定である（自重で変形する）ために、前記パウチ包装物の背面側に位置する部材（斜面部、前板）に前記パウチ包装物を安定的に立てかけることは困難である。具体的には、
（１）前記パウチ包装物を所望の位置にセットし、見栄え良く陳列することが難しい、
（２）仮に前記パウチ包装物を所望の位置にセットできたとしても前記パウチ包装物がその位置から動いてしまう（或いは倒れてしまう）、
（３）デザイン性や見栄えを考慮して、縦長形状のパウチ包装物を縦置きして陳列するような場合には、前記（１）および（２）の問題が、より顕著に発生する、という問題がある。
【００１５】
また、特許文献３から５に記載のディスプレイトレイは、歯みがき粉の押出しチューブのような、比較的硬質な素材からなるキャップを有する商品を陳列対象とし、前記キャップを天板の筒状凹部に嵌め込むことによって商品を安定的に固定するという思想に基づくものである。しかし、液状香粧品が扁平パウチに充填されたパウチ包装物は、そのようなキャップ（硬質部分）を有していないため、前記パウチ包装物を天板の筒状凹部に嵌め込むことによって前記パウチ包装物を安定的に固定することはできない、という問題がある。
【００１６】
さらに、特許文献６に記載の自立具は、底や襠（まち、ガセット）を有する比較的厚みがある軟包装物を陳列対象とし、前記軟包装物の下端面（底）に畝部を押し付けて、前記軟包装物を前記畝部の形状に追従するように変形させ、前記軟包装物を安定化させ自立させるという思想に基づくものである。しかし、液状香粧品が扁平パウチに充填されたパウチ包装物は、底や襠（まち、ガセット）を有しない扁平形状であるため、前記パウチ包装物を畝部に押し付けることによって前記パウチ包装物を安定的に自立させることはできない、という問題がある。
【００１７】
さらにまた、特許文献７に記載の展示用ボードは、下側の一組のスリットに、平袋の下側に位置する二つの隅角を差し込み、上側の挟持片により、平袋の上辺の略中央部分を挟持固定するという思想に基づくものである。しかし、二つの隅角をスリットに差し込み、上辺の略中央部分を挟持固定するという固定方法は面倒であり、前記パウチ包装物のセットに時間と手間を要するという問題がある。また、スリットのある位置にしか前記パウチ包装物をセットすることができず、陳列のバリエーションや自由度に乏しいという問題もある。
【００１８】
以上説明したように、柔軟性に富み、形状が不安定であり（自重で変形し）、かつ、底や襠（まち、ガセット）を有しないパウチ包装物の面陳列に適した面陳列器具は未だ開示されていない。本考案は、前記従来技術が有する課題を解決するものである。すなわち、本考案は、柔軟性に富み、形状が不安定であり（自重で変形し）、かつ、底や襠（まち、ガセット）を有しないパウチ包装物が陳列対象であっても、そのパウチ包装物を所望の位置に確実に素早くセットすることができ（陳列の作業性を向上させることができ）、陳列のバリエーションや自由度にも富む面陳列用のディスプレイスタンドを提供するものである。
【課題を解決するための手段】
【００１９】
本考案者らは、前記従来技術が有する課題を解決すべく鋭意検討を重ねた結果、背板部と前板部の間に、パウチ包装物を差し込むための隙間が形成されたポケット構造において、前記前板部を背板部に向かって凸となる屈曲形状または湾曲形状に形成することによって、前記従来技術が有する課題を解決可能であることを見出し、本考案を完成するに至った。即ち、前記課題は以下に示す本考案によって解決される。
【００２０】
本考案は、液状物が扁平パウチに充填されたパウチ包装物を面陳列するために用いられるディスプレイスタンドであって、背板部と、前記背板部の下端から延びる折り返し部分によって形成され、前記背板部の正面のうち少なくとも下端側領域を覆う前板部と、を有し、前記背板部と前記前板部の間に、前記パウチ包装物を差し込むための隙間が形成されたポケット構造を備え、前記背板部は後傾姿勢に保持され、前記前板部は前記背板部に向かって凸となる屈曲形状または湾曲形状に形成され、前記前板部の下端から屈曲部または湾曲部に至るまでの部分は、前記下端から前記屈曲部または前記湾曲部に向かうに連れて前記背板部に近づくように後傾し、前記前板部の屈曲部または湾曲部から上端に至るまでの部分は、前記屈曲部または前記湾曲部から上端に向かうに連れて前記背板部から離れるように前傾していることを特徴とするディスプレイスタンド；である。
【００２１】
本考案のディスプレイスタンドは、
前記ポケット構造を高さ方向に２段備えていること；
前記ポケット構造が、連続する一枚板によって構成されていること；
前記ディスプレイスタンド全体が、連続する一枚板によって構成されていること；が好ましい。
【考案の効果】
【００２２】
本考案のディスプレイスタンドは、柔軟性に富み、形状が不安定であり（自重で変形し）、かつ、底や襠（まち、ガセット）を有しないパウチ包装物が陳列対象であっても、そのパウチ包装物を所望の位置に確実に素早くセットすることができ（陳列の作業性を向上させることができ）、陳列のバリエーションや自由度にも富む。
【図面の簡単な説明】
【００２３】
【図１Ａ】本考案のディスプレイスタンドの一の実施形態を示す斜視図である。
【図１Ｂ】図１Ａに示すディスプレイスタンドのＡ−Ａ’断面図である。
【図１Ｃ】図１Ｂに示すＡ−Ａ’断面の一部を拡大した拡大断面図である。
【図１Ｄ】図１Ａに示すディスプレイスタンドの使用状態を示す斜視図である。
【図１Ｅ】図１Ｄに示す使用状態のＢ−Ｂ’断面図である。
【図２Ａ】従来のディスプレイスタンドの一の実施形態を示す斜視図である。
【図２Ｂ】図２Ａに示すディスプレイスタンドのＣ−Ｃ’断面図である。
【図２Ｃ】図２Ａに示すディスプレイスタンドの使用状態を示す斜視図である。
【図２Ｄ】図２Ｃに示す使用状態のＤ−Ｄ’断面図である。
【考案を実施するための形態】
【００２４】
以下、図面を参照しながら、本考案を実施するための形態について具体的に説明する。ただし、本考案はその特定事項を満たす全ての実施形態を包含するものであり、以下に示す実施形態のみに限定されるものではない。
【００２５】
［１］本考案のディスプレイスタンドの特徴：
本考案のディスプレイスタンドは、図１Ａから図１Ｃに示すディスプレイスタンド１のように、
（１）前板部４が背板部２に向かって凸となる屈曲形状または湾曲形状に形成されている点；
（２）前板部４の下端から屈曲部Ｐ１または湾曲部Ｐ２に至るまでの部分は、下端から屈曲部Ｐ１または湾曲部Ｐ２に向かうに連れて背板部２に近づくように後傾し、前板部４の屈曲部Ｐ１または湾曲部Ｐ２から上端に至るまでの部分は、屈曲部Ｐ１または湾曲部Ｐ２から上端に向かうに連れて背板部２から離れるように前傾している点；に特徴がある。
【００２６】
前記構成（１）、（２）を採用した場合、図１Ｂおよび図１Ｃに示すように、背板部２と前板部４の間に形成される隙間１０の幅は、前板部４の下端側において広く、上端側に向かうに連れて徐々に狭まり、前板部４の屈曲部Ｐ１または湾曲部Ｐ２において最も狭くなった後、上端側に向かうに連れて徐々に広がる。即ち、背板部２と前板部４の間に、くびれ形状のポケット構造が形成される。
【００２７】
くびれ形状のポケット構造においては、図１Dおよび図１Ｅに示すように、前板部４の屈曲部Ｐ１または湾曲部Ｐ２によって、隙間１０に差し込まれたパウチ包装物２０が背板部２側に押し付けられる。このため、パウチ包装物２０は背板部２と前板部４の間で容易には動かないように確実に固定される。この構造においては、パウチ包装物２０を一旦、所望の位置にセットすれば、パウチ包装物２０がその位置から動いてしまったり、或いは倒れてしまったりする不具合を効果的に抑制することができる。
【００２８】
また、前板部４の屈曲部Ｐ１または湾曲部Ｐ２によって、柔軟性に富むパウチ包装物２０は押しつぶされ、隙間１０の内部形状に追従するように変形するため、パウチ包装物２０は前板部４と背板部２の間で安定的に保持される。したがって、本考案のディスプレイスタンドは、柔軟性に富み、形状が不安定であり（自重で変形し）、かつ、底や襠（まち、ガセット）を有しないパウチ包装物の陳列に好適に用いることができる。
【００２９】
さらに、前板部４の屈曲部Ｐ１または湾曲部Ｐ２は前板部４の幅方向に沿って配置されるため、ディスプレイスタンド１の幅方向のいずれの位置においてもパウチ包装物２０をセットし、固定することができる。したがって、パウチ包装物２０の陳列のバリエーションや自由度に富むものである。
【００３０】
また、前板部４の上端においては隙間１０の幅が広くなっているため、パウチ包装物２０を隙間１０に容易に差し込むことができる。さらに、前板部４の上端から屈曲部Ｐ１または湾曲部Ｐ２に至るまでの部分が下向きの傾斜面を形成しているため、パウチ包装物２０は前記傾斜面に沿って、隙間１０の最も狭い部分に確実に誘導される。したがって、隙間１０に幅が狭い部分があってもパウチ包装物２０を隙間１０に容易に差し込むことができる。
【００３１】
以上説明したように、本考案のディスプレイスタンドは、背板部２と前板部４の間に形成された隙間１０にパウチ包装物２０を上から差し込むという極めて簡単な動作で、パウチ包装物２０を所望の位置にセットし、見栄え良く陳列することができる。ホテルなどの宿泊施設においては、多数の客室で、多数のパウチ包装物を短時間に見栄え良く陳列する必要がある。本考案のディスプレイスタンドは、パウチ包装物を陳列する手間を削減し、陳列の作業性を向上させ、陳列時間を短縮するという効果を奏する。
【００３２】
ここで、本考案の特徴的構成を有しない従来構造のディスプレイスタンドの例を図２Ａから図２Ｄに示す。図２Ａから図２Ｄに示すディスプレイスタンド５１は、
（１）背板部５２と、前板部５４と、を有している点；
（２）背板部５２と前板部５４の間に、パウチ包装物を差し込むための隙間６０が形成されている点；については、本考案と同様であるものの、前板部５４が背板部５２に向かって凸となる屈曲形状または湾曲形状に形成されていない。
【００３３】
図２Ａから図２Ｄに示すディスプレイスタンド５１は、前板部５４が背板部５２に向かって凸となる屈曲形状または湾曲形状に形成されていないため、隙間６０に差し込まれたパウチ包装物２０が前板部の屈曲部または湾曲部によって背板部５２側に押し付けられることがない。このため、パウチ包装物２０は隙間６０の間に置かれているだけで固定されてはいない。即ち、パウチ包装物２０を一旦、所望の位置にセットしても、パウチ包装物２０がその位置から動いてしまったり、或いは倒れてしまったりする不具合を生ずるおそれがある。また、前板部５４の下端から上端に至るまで、隙間６０の幅を一様に狭くしてしまうと、パウチ包装物２０を固定することはできても、パウチ包装物２０を隙間６０に差し込むことが困難となる。したがって、多数のパウチ包装物を短時間に見栄え良く陳列することができなくなるおそれがある。
【００３４】
［２］本考案のディスプレイスタンドの用途：
本考案のディスプレイスタンドは、図１Ｄおよび図１Ｅに示すディスプレイスタンド１のように、液状物が扁平パウチに充填されたパウチ包装物２０を面陳列するために用いられるディスプレイスタンドである。
【００３５】
「液状物」とは、液体またはこれに準ずる流動性を有する物体を意味し、液体（溶液など）；コロイド（フォーム、エマルション、ゲル、サスペンジョンなど）；などが含まれる。「液状物」の具体例としては、液状香粧品、例えば、基礎化粧品（化粧水、化粧用クリームなど）；洗浄料（洗顔料、ボディーソープ、シャンプーなど）；毛髪化粧品（リンス、コンディショナー、トリートメント、スタイリング剤など）；メイクアップ用化粧品；などが挙げられる。
【００３６】
「扁平パウチ」とは、底や襠（まち、ガセット）を有しない袋状の密閉容器を意味する。具体的には、図１Ｄに示すパウチ包装物２０で使用されている４方シール袋などが挙げられる。本考案のディスプレイスタンドは、図１Ｄおよび図１Ｅに示すように、縦長形状のパウチ包装物２０を縦置きして陳列する場合であっても、前板部４の屈曲部Ｐ１または湾曲部Ｐ２によってパウチ包装物２０を安定的に固定することができる。
【００３７】
［３］本考案のディスプレイスタンドの構成：
本考案のディスプレイスタンドは、図１Ａから図１Ｅに示すディスプレイスタンド１のように、背板部２と、前板部４と、を有し、背板部２と前板部４の間に、パウチ包装物を差し込むための隙間１０が形成されたポケット構造を備える。
【００３８】
そして、ディスプレイスタンド１のように、前記ポケット構造を高さ方向に２段備えていることが好ましい。このような構成においては、背板部と前板部のペアを２組有する必要がある。ディスプレイスタンド１は、背板部２Ａと前板部４Ａの間に、隙間１０Ａが形成された下部ポケット構造と、背板部２Ｂと前板部４Ｂの間に、隙間１０Ｂが形成された上部ポケット構造の２つのポケット構造を備えている。
【００３９】
ポケット構造を高さ方向に２段備えていると、パウチ包装物を上下２段に陳列することができる。したがって、内容物の種類やパッケージの図柄が異なる複数種類のパウチ包装物を様々な組み合わせで配置・陳列することができ、陳列の見栄えを良くし、意匠的な効果が高い陳列を行うことが可能となる。また、下段側のポケット構造にはパウチ包装物を陳列し、上段側のポケット構造には広告宣伝用のポップを差し込む等の使用方法も可能となるため、広告宣伝効果を高めることにも役立つ。
【００４０】
［３−１］背板部：
本考案のディスプレイスタンドは、図１Ａから図１Ｅに示すディスプレイスタンド１のように、背板部２を有する。背板部はパウチ包装物を背面側から支える機能を有する。パウチ包装物を背面側から支えるという機能を果たすために、背板部の高さはパウチ包装物の縦寸法（図１Ｄで言えば図面上下方向の寸法）の５０％以上とすることが好ましく、７０％以上とすることがさらに好ましい。背板部の全体形状は特に限定されない。ただし、矩形状または正方形状であることが好ましい。
【００４１】
本考案のディスプレイスタンドは、図１Ａから図１Ｅに示すディスプレイスタンド１のように、背板２が後傾姿勢に保持されている。「後傾姿勢」とは、ディスプレイスタンドを設置した状態において、背板部の正面が上向きになっていることを意味する。背板部が後傾姿勢に保持されることで、背板がパウチ包装物を背面側から支えることができる。また、パウチ包装物も後傾姿勢に固定されるため、パウチ包装物が鉛直方向に沿って起立している場合よりもパウチ包装物の正面のデザインを見やすくすることができる。背板部とディスプレイスタンドの設置面とがなす角度は特に限定されない。ただし、前記角度は９０°未満であることが好ましく、４０°以上８０°以下であることがさらに好ましい。
【００４２】
背板部を後傾姿勢に保持する方法は特に限定されない。例えば、図１Ａから図１Ｅに示すディスプレイスタンド１のように、背板部２の背面側に姿勢保持板１４を配置し、姿勢保持板１４によって背板２を後傾姿勢に保持する方法などを採用することができる。ディスプレイスタンド１においては、背板部２Ｂの上端と姿勢保持板１４の上端が一致するように構成されている。このような構成はディスプレイスタンドを一枚板の折り曲げ加工によって形成することが可能となる点において好ましい。
【００４３】
［３−２］前板部： 
本考案のディスプレイスタンドは、図１Ａから図１Ｅに示すディスプレイスタンド１のように、背板部２の下端から延びる折り返し部分によって形成された前板部４を有する。言い換えると、背板部２と前板部４は下端側で連結され、その連結部分がポケット構造の底部を形成している。前板部はパウチ包装物を正面側から押さえつける機能を有する。
【００４４】
また、本考案のディスプレイスタンドは、図１Ａから図１Ｅに示すディスプレイスタンド１のように、前板部４が、背板部２の正面のうち少なくとも下端側領域を覆っている。「下端側領域」とは、背板部の下端から背板部の上端方向に連続し、かつ、背板部の上端にまでは至らない領域を指す。「少なくとも下端側領域」としたのは、前板部が背板部の下端から上端までの一部を覆う形態の他、前板部が背板部の下端から上端までの全部を覆う形態も本考案の範囲に含める趣旨である。「覆っている」とは、前板部の背面と背板部の正面が対向していることを意味する。
【００４５】
本考案のディスプレイスタンドは、前板部は背板部に向かって凸となる屈曲形状または湾曲形状に形成されている。図１Ａから図１Ｅに示すディスプレイスタンド１においては、前板部４Ａは背板部２Ａに向かって凸となる屈曲形状に形成され、前板部４Ｂは背板部２Ｂに向かって凸となる湾曲形状に形成されている。より具体的に説明すると、前板部４Ａは屈曲部Ｐ１において直線的に折れ曲がり、背板部２Ａに向かって凸となる屈曲形状に形成されている。すなわち、「屈曲形状」とは、前板部４Ａのように、側面方向から見た形状が「く」の字型となっていることを意味する。一方、前板部４Ｂは湾曲部Ｐ２を起点として曲線を描くように折れ曲がり、背板部２Ｂに向かって凸となる湾曲形状に形成されている。すなわち、「湾曲形状」とは、前板部４Ｂのように、側面方向から見た形状が円弧状となっていることを意味する。
【００４６】
本考案のディスプレイスタンドは、図１Ａから図１Ｅに示すディスプレイスタンド１のように、前板部４の下端から屈曲部Ｐ１または湾曲部Ｐ２に至るまでの部分は、下端から屈曲部Ｐ１または湾曲部Ｐ２に向かうに連れて背板部２に近づくように後傾している。即ち、この部分においては、背板部２よりも前板部４の方が大きく後傾している。この構造によって、背板部２と前板部４の間に形成される隙間１０は背板部２と前板部４の下端との間が最も広く、背板部２と前板部４の屈曲部Ｐ１または湾曲部Ｐ２の間で最も狭くなる。
【００４７】
一方、前板部４の屈曲部Ｐ１または湾曲部Ｐ２から上端に至るまでの部分は、屈曲部Ｐ１または湾曲部Ｐ２から上端に向かうに連れて背板部２から離れるように前傾している。即ち、この部分はパウチ包装物を差し込む際にガイド面となる前倒しの傾斜面が形成されることになる。また、この構造によって、パウチ包装物の差込口となる背板部２と前板部４の上端との間の隙間は広く開口される。
【００４８】
本考案のディスプレイスタンドにおいては、背板部２と前板部４の屈曲部Ｐ１または湾曲部Ｐ２の間の隙間が最も狭くなる、くびれ形状のポケット構造が形成されていればよく、前板部の屈曲や湾曲の程度は特に限定されない。ただし、背板部２と前板部４の下端の間の隙間に対し、背板部２と前板部４の屈曲部Ｐ１または湾曲部Ｐ２の間の隙間を１５％以上３３％以下とすることが好ましく、２０％以上３０％以下とすることがさらに好ましい。また、背板部２と前板部４の屈曲部Ｐ１または湾曲部Ｐ２の間の隙間に対し、背板部２と前板部４の上端の間の隙間を１．５倍以上３倍以下とすることが好ましく、２倍以上３倍以下とすることがさらに好ましい。
【００４９】
前板部の全体形状は特に限定されない。例えば矩形状または正方形状の板を屈曲させ、或いは湾曲させた形状とすればよい。ただし、図１Ａおよび図１Ｃに示すディスプレイスタンド１のように、前板部４Ａの上端の角部がＲ加工されていてもよい。このような形態は、ディスプレイスタンドのデザイン性を向上させる点において好ましい。
【００５０】
［３−３］材質：
背板部、前板部、姿勢保持板などの材質は特に限定されない。ただし、パウチ包装物のデザインを十分に視認させるため、透明性が高い樹脂であることが好ましく、アクリル樹脂、塩化ビニル、ＰＥＴであることがさらに好ましい。
【００５１】
［４］本考案のディスプレイスタンドの製造方法：
本考案のディスプレイスタンドは、図１Ａから図１Ｅに示すディスプレイスタンド１のように、ポケット構造が連続する一枚板によって構成されていることが好ましく、ディスプレイスタンド全体が連続する一枚板によって構成されていることが更に好ましい。このような構造とすることにより、連続する一枚板の折り曲げ加工によってポケット構造やディスプレイスタンドを製造することができ、製造工程を簡素化することができる。ただし、本考案のディスプレイスタンドの製造方法はこの方法に特に限定されるものではない。
【実施例】
【００５２】
以下、実施例を用いて本考案のディスプレイスタンドをさらに具体的に説明する。ただし、本考案はその特定事項を満たす全ての実施形態を包含するものであり、以下に示す実施例の形態のみに限定されるものではない。
【００５３】
（実施例１）
幅１５０ｍｍ、長さ３３５ｍｍの連続する一枚板の折り曲げ加工によって、図１Ａから図１Ｅに示すディスプレイスタンド１を製造した。この一枚板としては厚さ１．０ｍｍの塩化ビニル板を用いた。すなわち、ディスプレイスタンド１の背板部２、前板部４、および姿勢保持板１４は全て塩化ビニルにより形成した。
【００５４】
背板部２Ａ，２Ｂは、約１５０ｍｍ×約８０ｍｍの略矩形状とした。姿勢保持板１４は、約１５０ｍｍ×約１２０ｍｍの略矩形状とした。背板２Ｂと姿勢保持板１４のなす角度は２８°とした。これにより、背板２Ａとディスプレイスタンド１の設置面とがなす角度は６３°となった。
【００５５】
前板部４Ａは、約１５０ｍｍ×約２０ｍｍの略矩形状を基本形状とし、前板部４Ａの上端側の部分（幅約５ｍｍ）を直線的に折り曲げて前傾させた。前板部４Ａの上端側の角部はＲ加工により曲線的に仕上げた。背板部２Ａと前板部４Ａの間の隙間１０Ａは前板部４Ａの下端において約６．０ｍｍ、前板部４Ａの屈曲部Ｐ１において約１．５ｍｍ、前板部４Ａの上端において約４．０ｍｍとした。
【００５６】
前板部４Ｂは、背板部２Ａの上端から延びる折り返し部分によって形成した。前板部４Ｂは、湾曲部Ｐ２を起点として曲線を描くように折り曲げて形成しているが、前板部４Ａと概ねサイズを揃えるように構成した。背板部２Ｂと前板部４Bの間の隙間１０Ｂは前板部４Bの下端において約６．０ｍｍ、前板部４Ａの屈曲部Ｐ１において約１．５ｍｍ、前板部４Ａの上端において約３．０ｍｍとした。
【００５７】
なお、図１Ｃおよび図１Ｄに示すパウチ包装物２０は、３５ｍｍ×１１０ｍｍの略矩形状の扁平パウチに、化粧用クリームが充填されたものである。このパウチ包装物２０は、最大厚さが３．５ｍｍであった。
【産業上の利用可能性】
【００５８】
本考案のディスプレイスタンドは、液状香粧品、例えば、基礎化粧品（化粧水、化粧用クリームなど）；洗浄料（洗顔料、ボディーソープ、シャンプーなど）；毛髪化粧品（リンス、コンディショナー、トリートメント、スタイリング剤など）；メイクアップ用化粧品；などが扁平パウチに充填されたパウチ包装物を面陳列するためのディスプレイスタンドとして利用することができる。
【符号の説明】
【００５９】
１：ディスプレイスタンド、２，２Ａ，２Ｂ：背板部、４，４Ａ，４Ｂ：前板部、１０，１０Ａ，１０Ｂ：隙間、１４：姿勢保持板、２０：パウチ包装物、５１：ディスプレイスタンド、５２：背板部、５４：前板部、６０：隙間、６４：姿勢保持板、Ｐ１：屈曲部，Ｐ２：湾曲部。
【図１Ａ】
0003205557.tif 000004
【図１Ｂ】
0003205557.tif 000005
【図１Ｃ】
0003205557.tif 000006
【図１Ｄ】
0003205557.tif 000007
【図１Ｅ】
0003205557.tif 000008
【図２Ａ】
0003205557.tif 000009
【図２Ｂ】
0003205557.tif 000010
【図２Ｃ】
0003205557.tif 000011
【図２Ｄ】
0003205557.tif 000012